(57)【特許請求の範囲】
【請求項１】
一方の躯体と、前記一方の躯体に下端部側が取り付けられた階段と、前記階段の上端部側の踊り場に目地部を介して設けられた他方の躯体と、前記踊り場に設けられた第１の目地プレート支持部と、前記第１の目地プレート支持部に対向するように前記他方の躯体に設けられた第２の目地プレート支持部と、前記第１の目地プレート支持部にその一端部が前後方向にスライド移動可能に取り付けられると共に、前記第２の目地プレート支持部に他端部が支持され、かつ、前記目地部を塞ぐ目地プレートと、前記階段の前後方向の両側部側にそれぞれ設けられた一対となる一方のカバー装置取付部と、この一方のカバー装置取付部とは反対側に位置するように前記目地プレートの一端部側の前記他方の躯体側の端部に設けられた一対となる他方のカバー装置取付部と、前記一方のカバー装置取付部に一端部側がそれぞれ取り付けられていると共に、前記他方のカバー装置取付部に他端部側がそれぞれ取り付けられた一対のカバー装置とで構成され、
前記カバー装置は、前記一方のカバー装置取付部に、その一端部が回動可能に取り付けられ、かつ、前記他方のカバー装置取付部に他端部が回動可能に取り付けられたヒンジ部を有するカバー部材と、前記カバー部材の他端部に接続された状態で前記他方の躯体に設けられた端部カバー部材とで構成され、前記カバー部材は、前記ヒンジ部を支点にして屈曲し、前記目地部が開口しないように塞ぐことができる階段用目地装置。
【請求項２】
前記カバー部材の下部には、滑動部材が設けられていることを特徴とする請求項１に記載の階段用目地装置。
【請求項３】
前記階段は、自動式階段であることを特徴とする請求項１又は請求項２のいずれかに記載の階段用目地装置。
【発明の詳細な説明】
【技術分野】
【０００１】
本発明は一方の躯体と他方の躯体間に設けられた自動式階段（エスカレーター）を含む階段の踊り場と躯体との間の目地部を塞ぐ階段用目地装置に関する。
【背景技術】
【０００２】
従来、一方の躯体と他方の躯体間に設けられたエスカレーターや階段は、その一端部（下階部分）の踊り場が一方の躯体に固定され、他端部（上階部分）の踊り場が他方の躯体に固定されている。
ところで、「踊り場」とは、本願発明においては自動式階段や階段の端部に設けられた平坦部をいう。
【０００３】
このような階段やエスカレーターにおいて、地震によって躯体が揺れ動いた場合に、その揺れ動きを吸収できるものとしては、「一方の躯体と、該一方の躯体に下端部側が取り付けられた階段と、該階段の上端部側の踊り場に目地部を介して設けられた他方の躯体と、該他方の躯体に設けられた目地プレート支持部と、前記階段の上端部側に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートと、前記階段の前後方向の側部に設けられ、前記目地部をカバーするカバー装置とで構成され、前記カバー装置は、前記階段の上端部側の前後方向の両側部にそれぞれ設けられた一方の袖壁と、該一方の袖壁に対向するように他方の躯体にそれぞれ設けられた他方の袖壁と、前記一方の袖壁に一端部がスライド可能に挿入されると共に、前記他方の袖壁に他端部がスライド可能に挿入され、ヒンジ部を有するカバー部材と、該カバー部材を内側へ付勢する付勢手段とで構成され、前記カバー部材は、前記ヒンジ部を支点にして屈曲しており、地震によって一方と他方の躯体が揺れ動いた場合、前記階段は前記一方の躯体と同調して揺れ動く階段用目地装置。」が知られている（特許文献１）。
【０００４】
しかし、このような階段用目地装置では、中空上の袖壁等を用い、この袖壁内にカバー部材を挿入しなければならないので、構造が複雑になり、その結果、コスト高になるという欠点があった。
【０００５】
また、ヒンジ部の位置を維持する維持手段等を用いると、その機構が外部から目視することができるため、美観が損なわれるという欠点があった。
【先行技術文献】
【特許文献】
【０００６】
【特許文献１】特許第６６３８０４８号公報
【発明の概要】
【発明が解決しようとする課題】
【０００７】
本発明は以上のような従来の問題点に鑑み、コストを抑え、かつ、美観を向上させることができると共に、地震によって躯体同士が異なる方向に揺れ動いた場合であっても、破損等せずに地震による揺れ動きを吸収でき、かつ、容易に設置可能な階段用目地装置を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明の請求項１に記載の階段用目地装置は、一方の躯体と、前記一方の躯体に下端部側が取り付けられた階段と、前記階段の上端部側の踊り場に目地部を介して設けられた他方の躯体と、前記踊り場に設けられた第１の目地プレート支持部と、前記第１の目地プレート支持部に対向するように前記他方の躯体に設けられた第２の目地プレート支持部と、前記第１の目地プレート支持部にその一端部が前後方向にスライド移動可能に取り付けられると共に、前記第２の目地プレート支持部に他端部が支持され、かつ、前記目地部を塞ぐ目地プレートと、前記階段の前後方向の両側部側にそれぞれ設けられた一対となる一方のカバー装置取付部と、この一方のカバー装置取付部とは反対側に位置するように前記目地プレートの一端部側の前記他方の躯体側の端部に設けられた一対となる他方のカバー装置取付部と、前記一方のカバー装置取付部に一端部側がそれぞれ取り付けられていると共に、前記他方のカバー装置取付部に他端部側がそれぞれ取り付けられた一対のカバー装置とで構成され、
前記カバー装置は、前記一方のカバー装置取付部に、その一端部が回動可能に取り付けられ、かつ、前記他方のカバー装置取付部に他端部が回動可能に取り付けられたヒンジ部を有するカバー部材と、前記カバー部材の他端部に接続された状態で前記他方の躯体に設けられた端部カバー部材とで構成され、前記カバー部材は、前記ヒンジ部を支点にして屈曲し、前記目地部が開口しないように塞ぐことができることを特徴とする。
【００１０】
【００１１】
請求項２に記載の階段用目地装置の前記カバー部材の下部には、滑動部材が設けられていることを特徴とする。
請求項３に記載の階段用目地装置の前記階段は、自動式階段であることを特徴とする。
【発明の効果】
【００１２】
以上の説明から明らかなように、本発明にあっては次に列挙する効果が得られる。
（１）請求項１に記載の発明においては、階段の踊り場と他方の躯体との間に目地部を形成すると共に、この目地部を目地プレートで覆っているので、一方の躯体と他方の躯体が地震によって異なる揺れ動きをした場合であっても、躯体や階段が損傷することなく地震による揺れ動きを吸収することができる。
（２）階段は一方の躯体と同調して揺れ動くように設けられているので、階段の一端部側は、通常と同様の施工で設置することができる。したがって、比較的容易に設置することができる。
（３）目地プレートの前後方向の端部にそれぞれ設けられた他方のカバー装置取付部にカバー装置の他端部を取り付けるため、低コストで施工でき、しかも、部品点数が少ないため、美観を向上させることができる。
（４）請求項２及び請求項３に記載の各発明についても、前記（１）〜（３）と同様な効果が得られる。
【図面の簡単な説明】
【００１３】
図１乃至図８は本発明の第１の実施形態を示す説明図である。
図９乃至図１１は本発明の第２の実施形態を示す説明図である。
【図１】第１の実施形態の階段用目地装置の平面図。
【図２】図１の２−２線に沿う断面図。
【図３】目地部及び第１、第２の目地プレート支持部の説明図。
【図４】目地プレートの説明図。
【図５】カバー装置の説明図。
【図６】地震で目地部が狭くなった動作説明図。
【図７】地震で目地部が広くなった動作説明図。
【図８】地震で左右の躯体が異なる前後方向に揺れ動いた場合の動作説明図。
【図９】第２の実施形態の階段用目地装置の平面図。
【図１０】図９の１０−１０線に沿う断面図。
【図１１】カバー装置の説明図。
【発明を実施するための形態】
【００１４】
以下、図面に示す本発明を実施するための形態により、本発明を詳細に説明する。
図１乃至図８に示す本発明を実施するための第１の形態において、１は目地部２を介して設けられた一方の躯体３と他方の躯体４間に設置され、一方の躯体３に設けられた階段５の他端部と他方の躯体４の間の目地部２を塞ぐ階段用目地装置である。
なお、左右方向とは図１における左右方向（符号の向きを基準）であり、前後方向とは図１における上下方向（符号の向きを基準）をいい、上下方向とは図２における上下方向をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
さて、この階段用目地装置１は、一方の躯体３に下端部側が取り付けられた階段５と、階段の上端部側の踊り場６に目地部２を介して設けられた他方の躯体４と、踊り場６に設けられた第１の目地プレート支持部７と、第１の目地プレート支持部に対向するように他方の躯体４に設けられた第２の目地プレート支持部８と、第１の目地プレート支持部７にその一端部が前後方向にスライド移動可能に取り付けられると共に、第２の目地プレート支持部８に他端部が支持され、かつ、目地部２を塞ぐ目地プレート９と、階段の前後方向の両側部側（図１を基準にする）にそれぞれ設けられた一対となる一方のカバー装置取付部１０と、この一方のカバー装置取付部とは反対側（一方のカバー装置取付部に対して前後方向で対向する箇所）に位置するように他方の躯体側に設けたられ一対となる他方のカバー装置取付部１１と、一方のカバー装置取付部１０に一端部側がそれぞれ取り付けられていると共に、他方のカバー装置取付部１１に他端部側がそれぞれ取り付けられた一対のカバー装置１２とで構成され、カバー装置１２は目地部２が開口しないように塞ぐことができる。
【００１７】
図１及び図２を参照にして付言すると、この階段用目地装置１は、一方の躯体３と、該一方の躯体３に下端部側が取り付けられた階段５と、前記階段の上端部側の踊り場６に目地部２を介して設けられた他方の躯体４と、前記踊り場６の端部に設けられた第１の目地プレート支持部７と、前記第１の目地プレート支持部７に対向するように目地部２を介して前記他方の躯体４に設けられた第２の目地プレート支持部８と、第１の目地プレート支持部７に一端部が前後方向にスライド移動可能に取り付けられ、第２の目地プレート支持部８に他端部が支持され、前記目地部を塞ぐ目地プレート９と、前記階段５の前後方向の側部付近にそれぞれ設けられた一方のカバー装置取付部１０と、前記一方のカバー装置取付部１０と前後方向に所定間隔を隔てて前記目地プレートの前後方向の端部にそれぞれ設けられた他方のカバー装置取付部１１と、前記一方のカバー装置取付部１０に一端部側がそれぞれ取り付けられ、前記他方のカバー装置取付部１１に他端部側がそれぞれ取り付けられた一対のカバー装置１２とで構成されている。
【００１８】
ここで、「目地部２を塞ぐ」とは、目地部２の上を歩行者等の通行が通行できるように、前記目地部の少なくとも一部を塞ぐという意味で、本実施形態においては、階段５としてエスカレーター５が用いられており、このエスカレーター５の他端部と連続するように平面視方形状の目地プレート９が設けられ、目地部２の歩行者等の通行ができるように目地部２の一部を塞いでいる。
【００１９】
階段５は、本願発明では、エスカレーターと通常の階段の両方を含むものであり、本実施形態では、エスカレーター５を例にして説明する。なお、エスカレーター５自体は、一般的なエスカレーター５と同様の構成であるので、その説明を割愛する。
例えば図２に示すように、エスカレーター５の一端部（低い方：下端部側）は、一方の躯体３の床面に取り付けられており、エスカレーター５の他端部（高い方：上端部側）は、支持部材１３を介して一方の躯体３の床面に支持されている。そのため、エスカレーター５は一方の躯体３と一体的に設けられており、地震時には一方の躯体３と同調して揺れ動く。
【００２０】
このエスカレーター５の他端部側の踊り場６は、他方の躯体４とは連続しておらず、他方の躯体４との間に前後方向及び左右方向の目地部２を有している。
この目地部２は、例えば図３に示すように、エスカレーター５の他端部の左右方向及び前後方向、すなわち平面視において略コ字状に形成され、地震の際に左右方向及び前後方向の揺れ動きを吸収できる所定の長さとなっている。
【００２１】
この目地部２のうち左右方向の目地部２ａは目地プレート９によって塞がれている。この目地プレート９は、本実施形態においては、エスカレーター５の他端部側の踊り場６に連続するように、その一端部が前記踊り場６に設けられたレール状の第１の目地プレート支持部７に目地プレート支持具１４を介して前後方向にスライド移動可能に取り付けられている。なお、この目地プレート支持具１４は、角パイプ、Ｈ鋼、角柱等のバー状部材で、その底面は第１の目地プレート支持部７に固定されたローラー等の滑動部材１５を介して第１の目地プレート支持部７に支持されている。目地プレート支持具１４の長さは、本実施形態においては、目地部２の前後方向の長さと略同一に形成されている。
なお、目地プレート９は、複数枚の板状部材を目地プレート支持具１４等で連結して用いてもよい。
【００２２】
エスカレーター５の他端部側の踊り場６と対向する他方の躯体４の部位には、第２の目地プレート支持部８が形成されており、この第２の目地プレート支持部８の上面に前記目地プレート９の他端部が支持される。
【００２３】
この第２の目地プレート支持部８は、本実施形態においては、他方の躯体４の床面上に形成された凹所状の部位で、この凹所内を目地プレート９の他端部が移動可能に支持する。この第２の目地プレート支持部８の目地部２と逆側の端部には段差を解消するための傾斜面１６が形成されている。
【００２４】
本実施形態においては、図４に示すように、目地プレート９は矩形状で板状の部材で、その一端部が目地プレート支持具１４に取り付けられて支持され、目地プレート９の他端部が第２の目地プレート支持部８に支持されている。なお、本実施形態においては、複数個の目地プレート９を用いて左右方向の目地部２ａを塞いでおり、複数個の目地プレート９は目地プレート支持具１４により連結されている。
【００２５】
また、前後方向の端部に位置する目地プレート９には、その一端部側の前後方向の端部に他方のカバー装置取付部１１が設けられている。この他方のカバー装置取付部１１は、他方の躯体４の床面上に突出するように形成されており、底面が他方の躯体４の床面上に支持される。本実施形態においては、バー状の他方のカバー装置取付部１１を用いており、このバー状の他方のカバー装置取付部１１に形成された貫通孔１１ａにカバー部材１９の他端部側である端部カバー部材２１が挿入されて取り付けられる。
【００２６】
なお、本実施形態においては、端部カバー部材２１が嵌合状態で他方のカバー装置取付部１１に取り付けられているが、スライド移動可能に取り付けてもよい。その場合、通常状態に復帰できるように復帰機構を備えることが望ましい。
【００２７】
また、他方のカバー装置取付部１１をヒンジの軸部のように形成し、カバー部材１９の他端部と端部カバー部材２１の連結部分を枢支状態で回動可能に取り付けてもよい。
この目地プレート９は、目地部２（地震による揺れ動き幅）の２倍以上、本実施形態においては、約２倍に形成されており、他端部には傾斜面１６が形成されている。
【００２８】
ところで、目地プレート９の底面や第２の目地プレート支持部８に、目地プレート９がスムーズにスライド移動できるようにベアリングや滑り材等の滑動部材１５を設けてもよい。
【００２９】
第２の目地プレート支持部８の長さは、少なくとも地震による揺れ動き幅の２倍以上で、かつ、地震時に目地プレート９が衝突しない寸法に形成されており、前後方向の寸法は、目地部２の前後方向の寸法と略同寸法に形成されている。
なお、第２の目地プレート支持部８の上部に、カバープレート等を設け、凹所状の第２の目地プレート支持部８を塞いでもよい。
【００３０】
前後方向の目地部２ｂは、本実施形態においては、一対のカバー装置１２を用いて目地部２ｂが開口しないように塞いでいる。なお、「目地部２が開口しないように塞ぐ」とは、目地部２の上部がプレート等で直接塞がれている場合や、平面視では目地部２が視認できるものの、壁等により目地部２に人等が侵入できないように塞いでいる状態を含むものである。
【００３１】
このカバー装置１２は、前後方向に伸縮可能で、本実施形態においては、図１、図５等に示すように、前記階段の上端部側の前後方向の両側部にそれぞれ設けられた一方の側部壁１７に設けられた前記一方のカバー装置取付部１０に一端部が回動可能に取り付けられ、ヒンジ部１８を有するカバー部材１９と、前記カバー部材１９の他端部に回転可能に接続され、前記一方の側部壁１７に目地部２を介して対向するように前記他方の躯体４にそれぞれ設けられた他方の側部壁２０と略当接するようにスライド移動する端部カバー部材２１とで構成されており、端部カバー部材２１が他方のカバー装置取付部１１に取り付けられている。
【００３２】
すなわち、カバー装置１２の一端部側（カバー部材１９の一端部）が一方のカバー装置取付部１０に取り付けられ、他端部側（端部カバー部材２１）他方のカバー装置取付部１１に取り付けられている。
【００３３】
一方の側部壁１７及び他方の側部壁２０は、本実施形態においては、手摺状に形成されており、一方の側部壁１７は、エスカレーター５の手摺５ａに前後方向に略当接するように設けられている。この一方の側部壁１７は他方の躯体４側の端部（左右方向の目地部２ａ側の端部）が踊り場６の目地部側端部と略面一となるように形成されており、この他方の躯体４側の端部付近に一方のカバー装置取付部１０が設けられている。この一方のカバー装置取付部１０は、ヒンジジョイントのように形成されており、この一方のカバー装置取付部１０にカバー部材１９の一端部が回転可能に枢支される。
【００３４】
なお、側部壁１７、２０は壁面状、手摺状に形成されているものであればどのような形状のものを用いてもよい。また、一方の側部壁１７については、エスカレーター５の手摺５ａを一方の側部壁１７として用いてもよい。エスカレーター５の手摺５ａを一方の側部壁１７とする場合には、一方のカバー装置取付部１０を踊り場６の目地部側端部と略面一となるように形成する。
【００３５】
他方の側部壁２０は平面視において、左右方向に延在し、手摺や袖壁等と一体又は接続されて設けられており、前後方向の目地部２ａを塞いでいる。
【００３６】
前記カバー部材１９は、その他端部に端部カバー部材２１が前後方向に回動可能に接続されている。他方の側部壁２０には端部カバー部材２１が他方の側部壁２０に略当接する状態で左右方向にスライド移動可能となるようにガイド部２２が形成されている。本実施形態においては、他方の側部壁２０が左右方向に延在するパイプ状の手摺となっており、この手摺の内部（パイプの内周面）がガイド部２２となる。端部カバー部材２１は、このガイド部２２に挿入可能な形状に形成されている。
【００３７】
ところで、「略当接する」とは、ピッタリと当接する状態、わずかな隙間を隔てて接近している状態、重なり合っている状態を含むもので、本実施形態では、他方の側部壁２０と端部カバー部材２１は一部重なり合った状態で略当接している。
他方の側部壁２０と端部カバー部材２１の可動幅は、地震による揺れ動きを吸収でき、かつ、目地部２が広がったときに端部カバー部材２１がガイド部２２から脱落しない程度に形成される。
【００３８】
なお、一方の側部壁１７も同様の構成とし、カバー部材１９の一端部にも端部カバー部材２１を設けてもよい。
【００３９】
カバー部材１９は、前後方向の略中央部付近にヒンジ部１８を有しており、通常状態（図１の状態）において、平面視略逆く字状、すなわち前記ヒンジ部１８を支点にして外側へ凸となるように屈曲しており、前後方向に伸縮可能となっている。
【００４０】
また、カバー部材１９の下部（底面）は、本実施形態においては、目地プレート９と接触しない（宙に浮いている）状態となっているが、ローラーやベアリング等の滑動部材１５を介して目地プレート９と接触していてもよい。
【００４１】
地震で左右の躯体３、４が左右方向に揺れ動き、左右方向の目地部２ａが狭くなると、図６に示すように、エスカレーター５は一方の躯体３に同調して揺れ動き、目地プレート９が第２の目地プレート支持部８上を左右方向にスライド移動すると共に、カバー装置１２のカバー部材１９は目地プレート９と同調して左右方向にスライド移動し、端部カバー部材２１がガイド部２２にガイドされて左右方向にスライド移動し、揺れ動きを吸収する。
【００４２】
地震で左右の躯体３、４が左右方向に揺れ動き、左右方向の目地部２ａが広くなると、図７に示すように、エスカレーター５は一方の躯体３に同調して揺れ動き、目地プレート９が第２の目地プレート支持部８上を左右方向にスライド移動すると共に、カバー装置１２のカバー部材１９は目地プレート９と同調して左右方向にスライド移動し、端部カバー部材２１がガイド部２２にガイドされて左右方向にスライド移動し、揺れ動きを吸収する。
【００４３】
なお、カバー装置１２はこのような形態に限定されるものではなく、一方及び他方のカバー装置取付部１０、１１に両端部付近が取り付けられた伸縮可能なカバー等を設けるものであってもよいし、地震の揺れ動きに追従可能な壁パネル、手すり等を設けたものであってもよい。
【００４４】
付言すると、他方の側部壁２０が目地部２の他方の躯体側端部（平面視において目地部２の右側端部）まで設けられている場合等は、端部カバー部材２１を設ける必要がなく、一方及び他方のカバー装置取付部１０、１１に両端部付近が取り付けられた伸縮可能なカバー等であってもよい。このような場合、地震時にはカバー装置１２が一方の躯体３や目地プレート９と同調して揺れ動き、破損等することなく地震による揺れ動きを吸収することができる。
【００４５】
地震で左右の躯体３、４が前後方向に揺れ動き、前後方向の目地部２ｂが狭くなると、図８に示すように、カバー装置１２のカバー部材１９がヒンジ部１８を支点に変形し、その揺れ動きを吸収する。また、目地プレート９は、他方の躯体４と同調して揺れ動き、目地プレート９の一端部が一方の躯体３と相対的に前後方向にスライド移動（目地プレート支持具１４が第１の目地プレート支持部７上を前後方向にスライド移動）し、地震による揺れ動きを吸収する。地震による揺れ動きが終了し、躯体３、４が通常状態に復帰すると、カバー装置１２のカバー部材１９も通常状態に復帰する。
【００４６】
なお、図示しないがこのヒンジ部１８にねじりコイルばね等の付勢具を設けることにより、カバー部材１９の復帰を補助することもできる。
【００４７】
［発明を実施するための異なる形態］
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４８】
図１０乃至図１２に示す本発明を実施するための第２の形態において、前記本発明を実施するための第１の形態と主に異なる点は、袖壁状の一方と他方の側部壁１７Ａ、２０Ａとし、この袖壁状の他方の端部壁の内部に出没する板状の端部カバー部材２１Ａ及び板状のカバー部材１９Ａを備えるカバー装置１２Ａにした点で、このようなカバー装置１２Ａ等を用いた階段用目地装置１Ａにしても、前記本発明を実施するための第１の形態と同様の作用効果を得ることができる。
【００４９】
なお、本発明の実施形態においては、自動式階段（エスカレーター）を想定して説明したが、本発明はこれに限られず、通常の階段に用いてもよい。
目地プレートについては、実施形態では平面視略方形状の板状のものについて説明したが、その他公知の目地プレート、例えば浅皿状の目地プレート本体にモルタル等の充填部材を充填した目地プレート等を用いてもよく、必ずしもカバープレートを用いなくてもよい。
【産業上の利用可能性】
【００５０】
本発明は階段用目地装置を製造する産業で利用される。
【符号の説明】
【００５１】
１、１Ａ：階段用目地装置、          ２：目地部、
３：一方の躯体、                    ４：他方の躯体、
５：階段、                          ６：踊り場、
７：第１の目地プレート支持部、      ８：第２の目地プレート支持部、
９：目地プレート、                  １０：一方のカバー装置取付部、
１１：他方のカバー装置取付部、      １２、１２Ａ：カバー装置、
１３：支持部材、                    １４：目地プレート支持具、
１５：滑動部材、                    １６：傾斜面、
１７、１７Ａ：一方の側部壁、        １８：ヒンジ部、
１９、１９Ａ：カバー部材、          ２０、２０Ａ：他方の側部壁、
２１、２１Ａ：端部カバー部材、      ２２：ガイド部。
【図１】
0006975479.tif 000002
【図２】
0006975479.tif 000003
【図３】
0006975479.tif 000004
【図４】
0006975479.tif 000005
【図５】
0006975479.tif 000006
【図６】
0006975479.tif 000007
【図７】
0006975479.tif 000008
【図８】
0006975479.tif 000009
【図９】
0006975479.tif 000010
【図１０】
0006975479.tif 000011
【図１１】
0006975479.tif 000012